【手続補正書】
【提出日】平成16年8月12日(2004.8.12)
【手続補正１】
【補正対象書類名】明細書
【補正対象項目名】発明の名称
【補正方法】変更
【補正の内容】
【発明の名称】信号処理装置、映像表示装置及び信号処理方法、映像表示方法
【手続補正２】
【補正対象書類名】明細書
【補正対象項目名】特許請求の範囲
【補正方法】変更
【補正の内容】
【特許請求の範囲】
【請求項１】
映像データに基づいて映像表示を行う表示装置に接続して使用される信号処理装置において、
入力映像信号に所要の信号処理を施す信号処理手段と、
上記信号処理手段の特性に応じて上記入力映像信号を補正するための信号処理補正データと、接続対象とされる上記表示装置を識別するための識別データと、接続対象とされる上記表示装置の表示手段の特性に応じて上記入力映像信号を補正するための表示補正データと、が記憶されている記憶手段と、
上記記憶手段に記憶されている上記信号処理補正データと、上記表示補正データに基づいて、上記信号処理手段で所要の信号処理が行われるように制御する制御手段とを備え、
上記記憶手段に記憶されている識別データと、上記表示装置から入力される識別データとが一致したときは、上記記憶手段に記憶されている上記信号処理補正データ及び上記表示補正データを上記信号処理手段に出力し、
上記記憶手段に記憶されている識別データと、上記表示装置から入力される識別データとが一致しないときは、上記記憶手段に記憶されている上記信号処理補正データと、上記表示装置から入力される上記表示補正データを、上記信号処理手段に出力する
ことを特徴とする信号処理装置。
【請求項２】
上記制御部は、
上記記憶手段に記憶されている識別データと、上記表示装置から入力される識別データとが一致しないときは、上記記憶手段に記憶されている識別データ及び表示補正データを、上記表示装置から入力される識別データ及び表示補正データに更新することを特徴とする請求項１に記載の信号処理装置。
【請求項３】
入力映像信号に所要の信号処理を施す信号処理手段を有して構成される信号処理装置部と、
上記信号処理手段から入力される入力データに基づいて映像表示を行う表示手段を有して構成される表示装置部とからなり、
上記表示装置部は、
上記表示手段の特性に応じて上記入力映像信号を補正するための表示補正データと、表示装置部を識別するための固有の識別データが記憶されている第１の記憶手段を備えると共に、
上記信号処理装置部は、
上記信号処理手段の特性に応じて上記入力映像信号を補正するための信号処理補正データと、予め決められた上記表示装置部の識別データと、その表示装置部の表示補正データが記憶されている第２の記憶手段と、
上記表示補正データと上記信号処理補正データに基づいて上記信号処理手段で所要の信号処理が行われるように制御する制御手段とを備え、
上記制御手段は、
上記第１の記憶手段に記憶されている識別データと、上記第２の記憶手段に記憶されている識別データとが一致したときは、上記第２の記憶手段に記憶されている上記表示補正データ及び信号処理補正データを上記信号処理手段に出力し、
上記第１の記憶手段の識別データと上記第２の記憶手段の識別データが一致しないときは、上記第１の記憶手段に記憶されている上記表示補正データと、上記第２の記憶手段に記憶されている上記信号処理補正データを、上記信号処理手段に出力する
ことを特徴とする映像表示装置。
【請求項４】
上記制御部は、
上記第１の記憶手段の識別データと、上記第２の記憶手段の識別データとが一致しないときは、上記第２の記憶手段に記憶されている識別データと表示補正データを、上記第１の記憶手段に記憶されている識別データと表示補正データに更新することを特徴とする請求項３に記載の映像表示装置。
【請求項５】
上記表示手段は、画像表示のための画素を有する表示パネルを備えて構成されることを特徴とする請求項３に記載の映像表示装置。
【請求項６】
上記表示装置部と上記信号処理装置部とは、ケーブルを介して接続されていることを特徴とする請求項３に記載の映像表示装置。
【請求項７】
入力映像信号に所要の信号処理を施す信号処理手段と、上記信号処理手段の特性に応じて上記入力映像信号を補正するための信号処理補正データと、接続対象とされる上記表示装置を識別するための識別データと、接続対象とされる上記表示装置の表示手段の特性に応じて上記入力映像信号を補正するための表示補正データと、が記憶されている記憶手段と、上記記憶手段に記憶されている上記信号処理補正データと、上記表示補正データに基づいて、上記信号処理手段で所要の信号処理が行われるように制御する制御手段とを備えた信号処理装置における信号処理方法において、
上記記憶手段に記憶されている識別データと、上記表示装置から入力される識別データとを読み出し、
上記読み出された記憶手段に記憶されている識別データと上記表示装置から入力される識別データとが一致しているか否かを判別し、
上記読み出された記憶手段に記憶されている識別データと上記表示装置から入力される識別データとが一致したときは、上記記憶手段に記憶されている上記信号処理補正データ及び上記表示補正データを上記信号処理手段に出力し、
上記記憶手段に記憶されている識別データと、上記表示装置から入力される識別データとが一致しないときは、上記記憶手段に記憶されている上記信号処理補正データと、上記表示装置から入力される上記表示補正データを、上記信号処理手段に出力する
ことを特徴とする信号処理方法。
【請求項８】
上記読み出された上記記憶手段に記憶されている識別データと、上記表示装置から入力される識別データとが一致しないときは、上記記憶手段に記憶されている識別データ及び表示補正データを、上記表示装置から入力される識別データ及び表示補正データに更新することを特徴とする請求項７に記載の信号処理方法。
【請求項９】
入力映像信号に所要の信号処理を施す信号処理手段を有して構成される信号処理装置部と、上記信号処理手段から入力される入力データに基づいて映像表示を行う表示手段を有して構成される表示装置部とからなり、上記表示装置部は、上記表示手段の特性に応じて上記入力映像信号を補正するための表示補正データと、表示装置部を識別するための固有の識別データが記憶されている第１の記憶手段を備えると共に、上記信号処理装置部は、上記信号処理手段の特性に応じて上記入力映像信号を補正するための信号処理補正データと、予め決められた上記表示装置部の識別データと、その表示装置部の表示補正データが記憶されている第２の記憶手段と、上記表示補正データと上記信号処理補正データに基づいて上記信号処理手段で所要の信号処理が行われるように制御する制御手段とを備えた映像表示装置における映像表示方法において、
上記第１の記憶手段に記憶されている識別データと、上記第２の記憶手段に記憶されている識別データとを読み出し、
上記第１の記憶手段に記憶されている識別データと、上記第２の記憶手段に記憶されている識別データとが一致しているか否かを判別し、
上記読み出された上記第１の記憶手段に記憶されている識別データと上記第２の記憶手段に記憶されている識別データとが一致したときは、上記第２の記憶手段に記憶されている上記表示補正データ及び信号処理補正データを上記信号処理手段に出力し、
上記読み出された上記第１の記憶手段に記憶されている識別データと上記第２の記憶手段に記憶されている識別データとが一致しないときは、上記第１の記憶手段に記憶されている上記表示補正データと、上記第２の記憶手段に記憶されている上記信号処理補正データを、上記信号処理手段に出力する
ことを特徴とする映像表示方法。
【請求項１０】
上記読み出された上記第１の記憶手段の識別データと、上記第２の記憶手段の識別データとが一致しないときは、上記第２の記憶手段に記憶されている識別データと表示補正データを、上記第１の記憶手段に記憶されている識別データと表示補正データに更新することを特徴とする請求項９に記載の映像表示方法。
【手続補正３】
【補正対象書類名】明細書
【補正対象項目名】０００１
【補正方法】変更
【補正の内容】
【０００１】
【発明の属する技術分野】
本発明は、映像表示装置に関し、特に信号処理装置部と表示装置部とに分離することができる映像表示装置に適用して好適なものである。
【手続補正４】
【補正対象書類名】明細書
【補正対象項目名】０００８
【補正方法】変更
【補正の内容】
【０００８】
【課題を解決するための手段】
上記目的を達成するため、本発明は、映像データに基づいて映像表示を行う表示装置に接続して使用される信号処理装置において、入力映像信号に所要の信号処理を施す信号処理手段と、上記信号処理手段の特性に応じて上記入力映像信号を補正するための信号処理補正データと、接続対象とされる上記表示装置を識別するための識別データと、接続対象とされる上記表示装置の表示手段の特性に応じて上記入力映像信号を補正するための表示補正データと、が記憶されている記憶手段と、上記記憶手段に記憶されている上記信号処理補正データと、上記表示補正データに基づいて、上記信号処理手段で所要の信号処理が行われるように制御する制御手段とを備え、上記記憶手段に記憶されている識別データと、上記表示装置から入力される識別データとが一致したときは、上記記憶手段に記憶されている上記信号処理補正データ及び上記表示補正データを上記信号処理手段に出力し、上記記憶手段に記憶されている識別データと、上記表示装置から入力される識別データとが一致しないときは、上記記憶手段に記憶されている上記信号処理補正データと、上記表示装置から入力される上記表示補正データを、上記信号処理手段に出力するようにする。
【手続補正５】
【補正対象書類名】明細書
【補正対象項目名】０００９
【補正方法】変更
【補正の内容】
【０００９】
また本発明の信号処理装置の上記制御部は、上記記憶手段に記憶されている識別データと、上記表示装置から入力される識別データとが一致しないときは、上記記憶手段に記憶されている識別データ及び表示補正データを、上記表示装置から入力される識別データ及び表示補正データに更新するようにする。
【手続補正６】
【補正対象書類名】明細書
【補正対象項目名】００１０
【補正方法】変更
【補正の内容】
【００１０】
また、本発明の映像表示装置は、入力映像信号に所要の信号処理を施す信号処理手段を有して構成される信号処理装置部と、上記信号処理手段から入力される入力データに基づいて映像表示を行う表示手段を有して構成される表示装置部とからなり、上記表示装置部は、上記表示手段の特性に応じて上記入力映像信号を補正するための表示補正データと、表示装置部を識別するための固有の識別データが記憶されている第１の記憶手段を備えると共に、上記信号処理装置部は、上記信号処理手段の特性に応じて上記入力映像信号を補正するための信号処理補正データと、予め決められた上記表示装置部の識別データと、その表示装置部の表示補正データが記憶されている第２の記憶手段と、上記表示補正データと上記信号処理補正データに基づいて上記信号処理手段で所要の信号処理が行われるように制御する制御手段とを備えるようにした。